(57)【特許請求の範囲】
【請求項１】
一端に開口が設けられた戸袋と、
前記戸袋の内部を進退移動可能で前記開口を通じて前記戸袋に収納することで開き、引き出すことで閉まり、第１の面および前記第１の面の反対側に位置する第２の面を有する扉と、
前記第１の面の側において、前記扉の全閉時に前記扉の前記戸袋の内部に留まる部分に設けられ、前記扉の開閉方向に前記第１の面と摺動する第１の摺動面と、第１の傾斜面とを有する第１の嵌入部と、
前記第２の面の側において、前記扉の全閉時に前記扉の前記戸袋の内部に留まる部分に設けられ、前記扉の開閉方向に前記第２の面と摺動する第２の摺動面と、第２の傾斜面とを有する第２の嵌入部と、
第１の一端が前記第１の面に固定され、第１の他端が前記第１の嵌入部に固定され、前記扉の開閉方向に伸縮する第１の弾性体と、
第２の一端が前記第２の面に固定され、第２の他端が前記第２の嵌入部に固定され、前記扉の開閉方向に伸縮する第２の弾性体と、
前記戸袋の内面に固定され、前記扉の全閉時に前記第１の傾斜面と面接触する第３の傾斜面を有する第１の嵌受部と、
前記戸袋の内面の前記第１の嵌受部と対応する位置に固定され、前記扉の全閉時に前記第２の傾斜面と面接触する第４の傾斜面を有する第２の嵌受部と
を備え、
前記第１の傾斜面と前記第３の傾斜面との摩擦係数および前記第２の傾斜面と前記第４の傾斜面との摩擦係数は、前記第１の面と前記第１の摺動面との摩擦係数および前記第２の面と前記第２の摺動面との摩擦係数より大きい可動ホーム柵。
【請求項２】
前記第１の弾性体は、前記第１の一端が、前記第１の嵌入部について前記開口とは反対側に位置し、
前記第２の弾性体は、前記第２の一端が、前記第２の嵌入部について前記開口とは反対側に位置する請求項１に記載の可動ホーム柵。
【請求項３】
一端に開口が設けられた戸袋と、
前記戸袋の内部を進退移動可能で前記開口を通じて前記戸袋に収納することで開き、引き出すことで閉まり、第１の面および前記第１の面の反対側に位置する第２の面を有する扉と、
前記扉の全閉時に前記扉の前記戸袋の内部に留まる部分に設けられ、前記第１の面に固定され、第１の傾斜面を有する第１の嵌入部と、
前記第２の面において前記第１の嵌入部に対応する位置に固定され、第２の傾斜面を有する第２の嵌入部と、
前記第１の面の側において前記扉の開閉方向に前記戸袋の内面と摺動する第１の摺動面と、前記扉の全閉時に前記第１の傾斜面と面接触する第３の傾斜面とを有する第１の嵌受部と、
前記第２の面の側において前記扉の開閉方向に前記戸袋の内面と摺動する第２の摺動面と、前記扉の全閉時に前記第２の傾斜面と面接触する第４の傾斜面とを有する第２の嵌受部と、
前記第１の面の側において、第１の一端が前記戸袋の内面に固定され、第１の他端が前記第１の嵌受部に固定され、前記扉の開閉方向に伸縮する第１の弾性体と、
前記第２の面の側において、第２の一端が前記戸袋の内面に固定され、第２の他端が前記第２の嵌受部に固定され、前記扉の開閉方向に伸縮する第２の弾性体と
を備え、
前記第１の傾斜面と前記第３の傾斜面との摩擦係数および前記第２の傾斜面と前記第４の傾斜面との摩擦係数は、前記第１の面の側における前記戸袋の内面と前記第１の摺動面との摩擦係数および前記第２の面の側における前記戸袋の内面と前記第２の摺動面との摩擦係数より大きい可動ホーム柵。
【請求項４】
前記第１の弾性体は、前記第１の一端が、前記第１の嵌受部について前記開口とは反対側に位置し、
前記第２の弾性体は、前記第２の一端が、前記第２の嵌受部について前記開口とは反対側に位置する請求項３に記載の可動ホーム柵。
【発明の詳細な説明】
【技術分野】
【０００１】
この発明は、鉄道車両の駅のプラットホームに設置される可動ホーム柵に関するものである。
【背景技術】
【０００２】
近年においては、鉄道車両の駅のプラットホームにおける乗降客の転落防止のために、自動開閉式の扉を備えた可動ホーム柵をプラットホームの床面に据え付ける場合が増えてきている。
【０００３】
可動ホーム柵は、駅に鉄道車両が停車した際に鉄道車両の乗降口と対向するように配置され鉄道車両の乗降客の乗降に合わせて開閉する扉と、この扉の開放時に扉が収納される戸袋とを備えている。ここで、扉は戸袋に設けられたレール上を移動することで開閉する。
【０００４】
可動ホーム柵の課題のひとつとして、振れ止めの問題がある。これは、扉移動時及び扉全閉時において扉が振れて扉やレール等が磨耗し、可動ホーム柵の寿命が縮まることを防止するというものである。
【０００５】
従来の可動ホーム柵における振れ止め機構として、特許文献１には、扉に振れ止めブロックを設け、戸袋の振れ止めレールと振れ止めブロックとを係合させることで扉移動時の振れを防止することが記載されている。
【先行技術文献】
【特許文献】
【０００６】
【特許文献１】特開平６−２３９２２５号公報（段落００１４、第２、４図）
【発明の概要】
【発明が解決しようとする課題】
【０００７】
可動ホーム柵では、扉全閉時において駅を通過する鉄道車両の風圧等により、扉が振れて扉やレール等が磨耗し、可動ホーム柵の寿命が縮んでしまう恐れがあった。したがって、特に扉全閉時における振れ止めが重要になる。
【０００８】
従来の可動ホーム柵における振れ止め機構では、振れ止めレールと振れ止めブロックとの間の隙間が狭すぎると、扉が開閉しにくくなってしまう恐れがある。そこで実際には、振れ止めレールと振れ止めブロックとの間に適当な幅の隙間を設ける必要がある。そのため扉全閉時においてこの隙間の範囲ではやはり扉が振れて扉やレール等が磨耗してしまうという問題があった。
【０００９】
この発明は、上記の問題を解決するためになされたもので、全閉時の扉の振れを抑制することを目的とする。
【課題を解決するための手段】
【００１０】
この発明に係る可動ホーム柵においては、一端に開口が設けられた戸袋と、戸袋の内部を進退移動可能で開口を通じて戸袋に収納することで開き、引き出すことで閉まり、第１の面および第１の面の反対側に位置する第２の面を有する扉と、第１の面の側において、扉の全閉時に扉の戸袋の内部に留まる部分に設けられ、扉の開閉方向に第１の面と摺動する第１の摺動面と、第１の傾斜面とを有する第１の嵌入部と、第２の面の側において、扉の全閉時に扉の戸袋の内部に留まる部分に設けられ、扉の開閉方向に第２の面と摺動する第２の摺動面と、第２の傾斜面とを有する第２の嵌入部と、第１の一端が第１の面に固定され、第１の他端が第１の嵌入部に固定され、扉の開閉方向に伸縮する第１の弾性体と、第２の一端が第２の面に固定され、第２の他端が第２の嵌入部に固定され、扉の開閉方向に伸縮する第２の弾性体と、戸袋の内面に固定され、扉の全閉時に第１の傾斜面と面接触する第３の傾斜面を有する第１の嵌受部と、戸袋の内面の第１の嵌受部と対応する位置に固定され、扉の全閉時に第２の傾斜面と面接触する第４の傾斜面を有する第２の嵌受部とを備え、第１の傾斜面と第３の傾斜面との摩擦係数および第２の傾斜面と第４の傾斜面との摩擦係数は、第１の面と第１の摺動面との摩擦係数および第２の面と第２の摺動面との摩擦係数より大きい。
また、この発明に係る可動ホーム柵においては、一端に開口が設けられた戸袋と、戸袋の内部を進退移動可能で開口を通じて戸袋に収納することで開き、引き出すことで閉まり、第１の面および第１の面の反対側に位置する第２の面を有する扉と、扉の全閉時に扉の戸袋の内部に留まる部分に設けられ、第１の面に固定され、第１の傾斜面を有する第１の嵌入部と、第２の面において第１の嵌入部に対応する位置に固定され、第２の傾斜面を有する第２の嵌入部と、第１の面の側において扉の開閉方向に戸袋の内面と摺動する第１の摺動面と、扉の全閉時に第１の傾斜面と面接触する第３の傾斜面とを有する第１の嵌受部と、第２の面の側において扉の開閉方向に戸袋の内面と摺動する第２の摺動面と、扉の全閉時に第２の傾斜面と面接触する第４の傾斜面とを有する第２の嵌受部と、第１の面の側において、第１の一端が戸袋の内面に固定され、第１の他端が第１の嵌受部に固定され、扉の開閉方向に伸縮する第１の弾性体と、第２の面の側において、第２の一端が戸袋の内面に固定され、第２の他端が第２の嵌受部に固定され、扉の開閉方向に伸縮する第２の弾性体とを備え、第１の傾斜面と第３の傾斜面との摩擦係数および第２の傾斜面と第４の傾斜面との摩擦係数は、第１の面の側における戸袋の内面と第１の摺動面との摩擦係数および第２の面の側における戸袋の内面と第２の摺動面との摩擦係数より大きい。
【発明の効果】
【００１１】
この発明によれば、全閉時の扉の振れを抑制し、可動ホーム柵の寿命を延ばすことができるとともに、扉の中心が戸袋の中心からずれて設置されてしまっても扉の振れを十分抑えることができる。そのため、可動ホーム柵の設置における扉と戸袋の乗降方向の位置関係の精度の許容範囲が広くなる。
また、この発明に係る可動ホーム柵によれば、扉全閉時の扉の振れを抑制することができるとともに、ホーム柵を構成する部材を少なくすることができ、組み立てが容易になる。
【図面の簡単な説明】
【００１２】
【図１】この発明の実施の形態１に係る可動ホーム柵の側面断面図である。
【図２】この発明の実施の形態１に係る扉が開かれた状態の可動ホーム柵の部分水平断面図である。
【図３】この発明の実施の形態１に係る扉が閉められた状態の可動ホーム柵の部分水平断面図である。
【図４】この発明の実施の形態１に係る扉が偏って閉められた状態の可動ホーム柵の部分水平断面図である。
【図５】この発明の実施の形態２に係る扉が開かれた状態の可動ホーム柵の部分水平断面図である。
【図６】この発明の実施の形態２に係る扉が閉められた状態の可動ホーム柵の部分水平断面図である。
【図７】この発明の実施の形態２に係る扉が偏って閉められた状態の可動ホーム柵の部分水平断面図である。
【図８】この発明の実施の形態３に係る扉が閉められた状態の可動ホーム柵の部分水平断面図である。
【図９】この発明の実施の形態４に係る可動ホーム柵の側面断面図である。
【図１０】この発明の実施の形態４に係る扉が開かれた状態の可動ホーム柵の部分水平断面図である。
【発明を実施するための形態】
【００１３】
実施の形態１．
図１はこの発明の実施の形態１に係る可動ホーム柵を示す側面図である。以下、図１に基づき、本発明の実施の形態１に係る可動ホーム柵の構成を説明する。可動ホーム柵は、扉２と戸袋１とで構成される。戸袋１は戸袋カバー３等から構成される箱型の形状であり、図１左側の一面が開放されている。図１においてプラットホームの床面側を下側、その反対側を上側とする。図１上側にはそれぞれ上側レール１３が、図１下側には下側レール１５がそれぞれ設けられている。なお、戸袋カバー３は図１の手前側にも設けられているが、戸袋１の内部構造を示すために図１では手前側の戸袋カバー３を省略している。
【００１４】
扉２の戸袋１側端の上下にはそれぞれ上側ローラガイド１２及び下側ローラガイド１４が設けられている。上側ローラガイド１２は上側に２つの車輪を有し、下側ローラガイド１４は下側に２つの車輪を有している。
【００１５】
上側レール１３に上側ローラガイド１２の２つの車輪が接触し、下側レール１５に下側ローラガイド１４の２つの車輪が接触し、扉２は図１左右方向に可動になっている。また、戸袋１の開放されている面から扉２が戸袋１に出入りするようになっている。これにより、扉２を戸袋１に収納することで扉２を開き、扉２を戸袋１から引き出すことで扉２を閉めることが出来る。
【００１６】
図２はこの発明の実施の形態１に係る扉が開かれた状態の可動ホーム柵の部分水平断面図である。扉２の全閉時に扉２の戸袋１内に留まる部分の線路側及びプラットホーム側の両面には、嵌入部として、扉側テーパガイド５がそれぞれ設けられている。それらに対応し、線路側及びプラットホーム側の戸袋カバー３には、嵌受部として、戸袋１側テーパガイド４がそれぞれ設けられている。
【００１７】
ばね受け６は戸袋カバー３の戸袋１内側の面にそれぞれ固定されており、扉側テーパガイド５は扉２に固定されている。ばね受け６と戸袋側テーパガイド４との間には圧縮ばね７がそれぞれ設けられており、戸袋側テーパガイド４は圧縮ばね７を介して戸袋１に接続されている。戸袋側テーパガイド４及び扉側テーパガイド５には、互いに並行な傾斜面が対向するようにそれぞれ形成されている。これにより、扉２を閉める際に扉側テーパガイド５と戸袋側テーパガイド４とが傾斜面で面接触する。
【００１８】
戸袋側テーパガイド４は、戸袋カバー３と接触する面が摺動面となっており、戸袋側テーパガイド４は、戸袋カバー３に対して摺動である。
【００１９】
また、戸袋側テーパガイド４の傾斜面の摩擦係数は、摺動面の摩擦係数より大きくなっている。これにより、戸袋側テーパガイド４が面接触により扉側テーパガイド３をしっかりと保持しながら、戸袋側テーパガイド４が戸袋カバー３に対して摺動するようになっている。なお、摩擦係数を調整する方法としては、例えば、面によって材質が異なるようにする方法や面に溝を多数設ける方法がある。
【００２０】
図３はこの発明の実施の形態１に係る扉が閉められた状態の可動ホーム柵の部分水平断面図である。図２の状態から扉２を閉める方向（図２左方向）に動かすと、図３の状態となり、扉２が閉まる。このとき戸袋側テーパガイド４及び扉側テーパガイド５の傾斜面が面接触しているため、図３上下方向に扉２が振れない。
【００２１】
図２の状態のように、扉２を開く方向に所定距離動かすと、扉側テーパガイド５と戸袋側テーパガイド４とが非接触となり、両者の間の摩擦がなくなる。したがって扉２の開閉が非常に容易である。
【００２２】
次に、この発明の実施の形態１に係る可動ホーム柵が、扉２が中心より偏って設置された場合にも有効である点について説明する。駅のプラットホームにおける可動ホーム柵の据付作業において扉２の中心が戸袋１の中心からずれてしまうことがある。図４はこの発明の実施の形態１に係る扉２が中心より偏ったまま閉められた状態の可動ホーム柵の部分水平断面図である。図４においては、扉２の中心が戸袋１の中心から図４下側にずれてしまっている。
【００２３】
この場合でも、扉４が偏った側である図４下側の圧縮ばね７の収縮量が、図４上側の圧縮ばね７の収縮量より大きくなることで扉側テーパガイド５が戸袋側テーパガイド４の線路側及びプラットホーム側の両面で面接触することができる。
【００２４】
以上、この発明の実施の形態１に係る可動ホーム柵においては、戸袋１に嵌受部を設け、扉２に嵌入部を設けたので、扉全閉時の扉の振れを抑制することができる。
【００２５】
また、この発明の実施の形態１に係る可動ホーム柵においては、圧縮ばね７が圧縮することにより扉２を開閉方向に多少ずれて設置されてしまっても戸袋側テーパガイド４と扉側テーパガイド５とが面接触する。そのため、可動ホーム柵の設置における扉２と戸袋１の扉開閉方向の位置関係の精度の許容範囲が広くなる。
【００２６】
また、この発明の実施の形態１に係る可動ホーム柵においては、線路側及びプラットホーム側の両側に戸袋側テーパガイド４、扉側テーパガイド５及び圧縮ばね７をそれぞれ配したので、扉の中心が戸袋１の中心からずれて設置されてしまっても扉の振れを十分抑えることができる。そのため、可動ホーム柵の設置における扉２と戸袋１の乗降方向の位置関係の精度の許容範囲が広くなる。
【００２７】
実施の形態２．
図５はこの発明の実施の形態２に係る扉が開かれた状態の可動ホーム柵の部分水平断面図である。図６はこの発明の実施の形態２に係る扉が閉められた状態の可動ホーム柵の部分水平断面図である。図７はこの発明の実施の形態２に係る扉が偏って閉められた状態の可動ホーム柵の部分水平断面図である。実施の形態２に係る可動ホーム柵の構成は、基本的に実施の形態１に係る可動ホーム柵の構成と同様であり、同一の構成には同一の番号を付して説明を省略する。実施の形態１との相違点は、ばねの取り付け方である。
【００２８】
図５に示すように、この発明の実施の形態２に係る可動ホーム柵においては、ばね受け８及び伸張ばね９が戸袋側テーパガイド４より扉２の閉方向側に設けられている。これにより、実施の形態１において扉２を閉める際に圧縮ばね７が圧縮されていたのに対して実施の形態２においては伸張ばね９が伸張することになるが、その効果は同様である。
【００２９】
以上、この発明の実施の形態２に係る可動ホーム柵においても、実施の形態１と同様の効果を得ることができる。
【００３０】
また、実施の形態１では戸袋の開口付近に物が侵入した際にばね受け６及び圧縮ばね７と扉２との間に物を挟んでしまう恐れがある。それに対し実施の形態２においては、ばね受け８及び伸張ばね９が戸袋の開口から離れて設置されるため、戸袋の開口付近に物が侵入した際にばね受け８及び伸張ばね９と扉２との間に物を挟むなどの事故を防止することができ、安全性を高めることができる。
【００３１】
実施の形態３．
図８はこの発明の実施の形態３に係る可動ホーム柵の部分水平断面図である。実施の形態３に係る可動ホーム柵の構成は、基本的に本発明の実施の形態１に係る可動ホーム柵の構成と同様であり、同一の構成には同一の番号を付して説明を省略する。実施の形態１との相違点は、圧縮ばね１１を戸袋側テーパガイド４ではなく扉側テーパガイド５に取り付けた点である。このような構成にしても、実施の形態１と同様の効果を得ることができる。
【００３２】
ばね受け１０は扉２の線路側及びプラットホーム側の両面にそれぞれ固定されており、戸袋側テーパガイド４は戸袋カバー３の戸袋１内側の面にそれぞれ固定されている。ばね受け１０と扉側テーパガイド５との間には圧縮ばね１１がそれぞれ設けられており、扉側テーパガイド５は圧縮ばね１１を介して扉２に接続されている。
【００３３】
扉側テーパガイド５は、扉２と接触する面が摺動面となっており、扉側テーパガイド５は、扉２に対して摺動可能になっている。
【００３４】
また、扉側テーパガイド５の傾斜面の摩擦係数は、摺動面の摩擦係数より大きくなっている。これにより、扉側テーパガイド５が面接触により戸袋側テーパガイド４をしっかりと保持しながら、扉側テーパガイド５が扉２に対して摺動するようになっている。
【００３５】
以上、扉側テーパガイド５に圧縮ばね１１を取り付けたこの発明の実施の形態３に係る可動ホーム柵においても、実施の形態１と同様の効果を得ることができる。
【００３６】
また、実施の形態３においては、ばね受け１０及び圧縮ばね１１が扉２に設けられたため、扉２を開くほどばね受け１０及び圧縮ばね１１が戸袋の開口から遠く離れる。そのため、扉２を開いている間において、戸袋の開口付近に物が侵入した際にばね受け１０及び圧縮ばね１１と扉２との間に物を挟むなどの事故を防止することができ、安全性を高めることができる。
【００３７】
なお、ここではばね受け１０及び圧縮ばね１１を扉側テーパガイド５より扉２の閉方向側に設けたが、扉側テーパガイド５より扉２の開方向側に伸張ばねを設けてもよい。
【００３８】
実施の形態４．
図９はこの発明の実施の形態４に係る可動ホーム柵を示す側面図である。実施の形態４に係る可動ホーム柵の構成は、基本的に本発明の実施の形態１に係る可動ホーム柵の構成と同様であり、同一の構成には同一の番号を付して説明を省略する。実施の形態４の実施の形態１との相違点は、扉側テーパガイド及び戸袋側テーパガイドの構造である。
【００３９】
本発明の実施の形態４に係る可動ホーム柵においては、戸袋カバー３の先端上側には、嵌受部として、戸袋側テーパガイド１６が設けられている。それに対応して扉２の上側には、嵌入部として、扉側テーパガイド１７は設けられている。実施の形態４に係る可動ホーム柵においては、戸袋側テーパガイド１６及び扉側テーパガイド１７はそれぞれ一つずつである。
【００４０】
扉側テーパガイド１７は楔形に形成されており、戸袋側テーパガイド１６は中央に扉側テーパガイド１７が嵌合する溝が設けられている。
【００４１】
また、ばね受け１８及び圧縮ばね１９も扉２の上側の扉側テーパガイド１７より戸袋２０側に設けられている。
【００４２】
図１０はこの発明の実施の形態４に係る可動ホーム柵の部分水平断面図である。戸袋側テーパガイド１６は中央が扉側テーパガイド１７と嵌合するような形状になっており、戸袋側テーパガイド１６及び扉側テーパガイド１７は、互いに対向するように傾斜面が同じ角度で形成されている。扉２を閉める時に扉側テーパガイド１７が戸袋側テーパガイド１６と面接触する。
【００４３】
以上、この発明の実施の形態４に係る可動ホーム柵においても、戸袋２０に嵌受部を設け、扉２に嵌入部を設けたので、扉全閉時の扉の振れを抑制することができる。
【００４４】
また、部材が少なくすることができ、組み立てが容易になる。
【符号の説明】
【００４５】
１  戸袋
２  扉
３  戸袋カバー
４  戸袋側テーパガイド
５  扉側テーパガイド
６  ばね受け
７  圧縮ばね
８  ばね受け
９  伸張ばね
１０  ばね受け
１１  圧縮ばね
１２  上側ローラガイド
１３  上側レール
１４  下側ローラガイド
１５  下側レール
１６  戸袋側テーパガイド
１７  扉側テーパガイド
１８  ばね受け
１９  圧縮ばね
２０  戸袋
【図１】
0005936816.tif 000002
【図２】
0005936816.tif 000003
【図３】
0005936816.tif 000004
【図４】
0005936816.tif 000005
【図５】
0005936816.tif 000006
【図６】
0005936816.tif 000007
【図７】
0005936816.tif 000008
【図８】
0005936816.tif 000009
【図９】
0005936816.tif 000010
【図１０】
0005936816.tif 000011